(57)【要約】【課題】送気ポンプから発生する吸気音を効果的に消音することができ、しかも送気圧力の低下の少ない内視鏡用送気ポンプ装置を提供すること。【解決手段】隣り合う内外二つの消音ケース１２，１３の各壁面の近接した位置に形成した接続孔１２ａ，１３ａどうしを、各々の外方からＪ字状の接続管４により連通接続すると共に、二つの消音ケース１２，１３の間の空間を、接続管４から最も遠い位置付近においてその外側の空間と連通させた。【選択図】      図１
2005110956.tif 000002
【特許請求の範囲】
【請求項１】
吸気口から吸い込んだ空気を吐出口に送り出すための送気ポンプを消音ケースで囲んだ構成の内視鏡用送気ポンプ装置において、
上記消音ケースを、間に空間を有する複数層に形成して、上記吐出口に接続した送気管を上記複数層の消音ケース外に引き出すと共に、隣り合う内外二つの消音ケースの各壁面の近接した位置に形成した接続孔どうしを、各々の外方からＪ字状の接続管により連通接続すると共に、上記二つの消音ケースの間の空間を、上記接続管から最も遠い位置付近においてその外側の空間と連通させたことを特徴とする内視鏡用送気ポンプ装置。
【発明の詳細な説明】
【技術分野】
【０００１】
この発明は、内視鏡を使用する際に同時に用いられる内視鏡用送気ポンプ装置に関する。
【背景技術】
【０００２】
内視鏡には、観察対象となる粘膜面と観察窓との間の距離を確保するために送気機能が必要であり、一般に、そのための送気ポンプが光源装置に内蔵されている。単体の送気ユニットが用いられる場合もある。また、観察窓の表面に向けて送水を行うために、送水タンクを送気ポンプで加圧することも一般的に行われている。
【０００３】
しかし、送気ポンプからは各種の騒音が発生し、特に、送気ポンプに形成されている吸気口と吐出口のうち吐出口は送気管が接続されて開放されていないので問題が少ないが、開放形成されている吸気口からは大きな吸い込み音が検査室内に発散されて内視鏡検査の妨げになる場合がある。
【０００４】
そこで従来は、吸気のための通気孔が形成された消音ケースで送気ポンプを囲むと共に、送気ポンプの吸気口にチューブを接続し、そのチューブを、消音ケース外に長く引き出してから消音ケースの壁面に形成された接続孔に外側から接続することにより消音ケース内の空間に連通させて、吸気音が長いチューブ内で消音されるようにしていた（例えば、特許文献１）。
【特許文献１】特開２００１−３２１３３０
【発明の開示】
【発明が解決しようとする課題】
【０００５】
しかし、特許文献１に記載された装置では、チューブを長くすればするほど消音効果があがって静粛になるが、同時に送気圧力の圧力損失が大きくなって内視鏡に供給される送気圧力が低下してしまう欠点がある。
【０００６】
そこで本発明は、送気ポンプから発生する吸気音を効果的に消音することができ、しかも送気圧力の低下の少ない内視鏡用送気ポンプ装置を提供することを目的とする。
【課題を解決するための手段】
【０００７】
上記の目的を達成するため、本発明の内視鏡用送気ポンプ装置は、吸気口から吸い込んだ空気を吐出口に送り出すための送気ポンプを消音ケースで囲んだ構成の内視鏡用送気ポンプ装置において、消音ケースを、間に空間を有する複数層に形成して、吐出口に接続した送気管を複数層の消音ケース外に引き出すと共に、隣り合う内外二つの消音ケースの各壁面の近接した位置に形成した接続孔どうしを、各々の外方からＪ字状の接続管により連通接続すると共に、二つの消音ケースの間の空間を、接続管から最も遠い位置付近においてその外側の空間と連通させたものである。
【発明の効果】
【０００８】
本発明によれば、隣り合う内外二つの消音ケースの各壁面の互いに近接した位置に形成した接続孔どうしを、各々の外方からＪ字状の接続管により連通接続すると共に、二つの消音ケースの間の空間を、接続管から最も遠い位置付近においてその外側の空間と連通させたことにより、送気ポンプから発生する吸気音を効果的に消音することができ、しかも通気路の断面積が十分に確保されるので送気圧力の低下がほとんど発生しない。
【発明を実施するための最良の形態】
【０００９】
消音ケースを、間に空間を有する複数層に形成して、吐出口に接続した送気管を複数層の消音ケース外に引き出すと共に、隣り合う内外二つの消音ケースの各壁面の互いに近接した位置に形成した接続孔どうしを、各々の外方からＪ字状の接続管により連通接続すると共に、二つの消音ケースの間の空間を、接続管が接続されている接続孔から最も遠い位置付近においてその外側の空間と連通させる。
【実施例】
【００１０】
図面を参照して本発明の実施例を説明する。
図１は内視鏡用送気ポンプ装置の側面断面図、図２はその平面断面図であり、この実施例の内視鏡用送気ポンプ装置は、内視鏡用光源装置内のフレーム１に取り付けられて、光源装置に内蔵されている。
【００１１】
２は、吸気口２１から吸い込んだ空気を吐出口２２に送り出すように動作する送気ポンプであり、上端部近傍に吸気口２１と吐出口２２が正面に向けて並んで突設され、底面は弾力性のあるゴム材等からなる防震足２３に載せて保持されている。
【００１２】
１０は、間に空間を有する複数層に形成された消音ケースであり、この実施例においては、各々が直方体状に形成された内側消音ケース１１、中間消音ケース１２及び外側消音ケース１３の三層構造になっている。
【００１３】
具体的には、送気ポンプ２を直接囲んでいる内側消音ケース１１の底面に取り付けられている支持足１１ｂが中間消音ケース１２の床面に載せられてそこに固定され、中間消音ケース１２の底面に取り付けられている支持足１２ｂが外側消音ケース１３の床面に載せられてそこに固定され、各消音ケース１１，１２，１３の全面について、隣の層の消音ケース１１，１２，１３との間に空間が形成されている。
【００１４】
そして、中間消音ケース１２と外側消音ケース１３とに着目してみると、中間消音ケース１２と外側消音ケース１３の各壁面の互いに近接した位置に接続孔１２ａ，１３ａが形成されていて、その接続孔１２ａ，１３ａが、各々の外方からＪ字状の外側接続管４により連通接続されている。
【００１５】
そして、外側接続管４は外側消音ケース１３の壁面を貫通するので、外側接続管４と外側消音ケース１３との間から空気漏れ（即ち、騒音漏れ）が発生しないよう、外側接続管４通過用に外側消音ケース１３の壁面に形成された貫通孔には弾力性のあるゴム材等からなるブッシュ１６が嵌め込まれて、外側接続管４がブッシュ１６によって弾力的に締め付けられた状態になっている。
【００１６】
また、外側消音ケース１３には、外側接続孔１３ａから最も遠い位置付近の壁面に外側通気孔１３ｏが穿設されていて、中間消音ケース１２と外側消音ケース１３との間の空間と外側消音ケース１３外の空間とが外側通気孔１３ｏを介して連通している。
【００１７】
送気ポンプ２の吸気口２１にはＪ字状の内側接続管５の一端が接続されていて、その内側接続管５は真っ直ぐに内側消音ケース１１を貫通して、その近傍位置の内側消音ケース１１の壁面に形成された内側接続孔１１ａに外方から接続されている。
【００１８】
なお、内側接続管５が内側消音ケース１１を貫通する部分にも弾力性のあるゴム材等からなるブッシュ１７が取り付けられて、内側接続管５がブッシュ１７によって弾力的に締め付けられた状態になっている。
【００１９】
内側消音ケース１１には、内側接続孔１１ａと中間接続孔１２ａの双方から最も離れた位置付近の壁面に内側通気孔１１ｏが穿設されていて、内側消音ケース１１と中間消音ケース１２との間の空間と内側消音ケース１１の内側の空間とが内側通気孔１１ｏを介して連通している。
【００２０】
吐出口２２には可撓性チューブ状の送気管３が接続されており、その送気管３は、吐出口２２から真っ直ぐに消音ケース１０全体を貫通して外部に延出している。ただし、送気管３と各消音ケース１１，１２，１３との間から空気漏れ（即ち、騒音漏れ）が発生しないよう、送気管３通過用に各消音ケース１１，１２，１３の側壁面に形成された貫通孔には弾力性のあるゴム材等からなるブッシュ１５が嵌め込まれて、送気管３が各ブッシュ１５によって弾力的に締め付けられた状態になっている。
【００２１】
このように、各消音ケース１１，１２，１３の内外を連通させる孔の類は、上述の各通気孔１１ｏ，１３ｏと各接続孔１１ａ，１２ａ，１３ａだけであり、それ以外の部分においては各消音ケース１１，１２，１３は密閉されている。
【００２２】
したがって、送気ポンプ２に吸気口２１から吸い込まれる空気は、消音ケース１０外から外側消音ケース１３の外側通気孔１３ｏを通って外側消音ケース１３と中間消音ケース１２との間の空間に吸い込まれ、次いで外側通気孔１３ｏとは反対側に配置されている外側接続管４を通って中間消音ケース１２と内側消音ケース１１との間の空間に吸い込まれ、それから外側接続管４とは反対側に形成されている内側消音ケース１１の内側通気孔１１ｏを通って内側消音ケース１１内に吸い込まれ、最後に内側通気孔１１ｏから遠い位置に配置されている内側接続管５を通って送気ポンプ２の吸気口２１に吸い込まれる。
【００２３】
その結果、吸気口２１から発生する吸気音は、消音ケース１０を構成する三重の消音ケース１１，１２，１３と、外側通気孔１３ｏから吸気口２１に至る長い通気路によって消音されて消音ケース１０の外では大幅に減衰する。
【００２４】
そして、外側通気孔１３ｏから吸気口２１に至る通気路の大半はチューブ等と違って大きな流路断面積を有しており、全通気路中において外側接続管４と内側接続管５が占める長さは極めて短いので、送気圧力の圧力損失がほとんど発生せず、送気ポンプ２が定格通りの送気性能を発揮することができる。
【００２５】
なお、本発明は上記実施例に限定されるものではなく、内側消音ケース１１と中間消音ケース１２との間の通気部にも外側接続管４と同様のＪ字状の接続管を用いてもよく、消音ケース１０は複数層であれば何層構造であってもよい。そして、各消音ケース１１，１２，１３の形状が直方体状である必然性はなく、円筒状その他の形状であっても差し支えない。
【００２６】
また、消音ケース１０が光源装置に内蔵されたものである必然性もなく、消音ケース１０が単独のユニット等として構成されていても差し支えない。また、本発明は内視鏡用の吸引ポンプ装置に適用することもできる。
【図面の簡単な説明】
【００２７】
【図１】本発明の内視鏡用送気ポンプ装置の実施例の側面断面図である。
【図２】本発明の内視鏡用送気ポンプ装置の実施例の平面断面図である。
【符号の説明】
【００２８】
２  送気ポンプ
３  送気管
４  外側接続管
５  内側接続管
１０  消音ケース
１１  内側消音ケース
１１ａ  内側接続孔
１１ｏ  内側通気孔
１２  中間消音ケース
１２ａ  中間接続孔
１３  外側消音ケース
１３ａ  外側接続孔
１３ｏ  外側通気孔
２１  吸気口
２２  吐出口
【図１】
2005110956.tif 000003
【図２】
2005110956.tif 000004